(57)【要約】【課題】  異なる２つ以上の無線信号を併用する信号処理装置にあって１つの信号が他の信号の影響を受けることを抑え、しかも信号処理装置の受信感度を低下させることがない信号処理装置を提供する。【解決手段】  外部から送信されてきた無線信号を受信するアンテナ１０３、受信された無線信号の信号品質を判定するチェックサム判定器２１７、チェックサム判定器２１７によって無線信号の品質が所定のレベル以下であると判定された場合、機器の内部で授受される無線信号と一致する周波数成分を送信されてきた無線信号から除去するノッチフィルタ２０１と、を備える。【選択図】  図２
2006074313.tif 000002
【特許請求の範囲】
【請求項１】
互いに周波数の異なる第１無線信号と第２無線信号とを取り扱う信号処理装置であって、
受信された前記第１無線信号から、前記第２無線信号と一致する周波数成分を除去する妨害波除去手段を備えることを特徴とする信号処理装置。
【請求項２】
受信された第１無線信号の信号品質を判定する信号品質判定手段をさらに備え、前記妨害波除去手段は、前記信号品質判定手段によって前記第１無線信号の品質が所定のレベル以下であると判定された場合に前記第２無線信号と一致する周波数成分を除去することを特徴とする請求項１に記載の信号処理装置。
【請求項３】
前記信号品質判定手段は、前記第1無線信号の誤りの程度によって信号品質を判定することを特徴とする請求項１または２に記載の信号処理装置。
【請求項４】
前記信号品質判定手段は、受信された前記第1無線信号の強度によって信号品質を判定することを特徴とする請求項１または２に記載の信号処理装置。
【請求項５】
前記妨害波除去手段は、周波数成分の除去の程度を変更する除去程度変更手段を備えることを特徴とする請求項１から４のいずれか１項に記載の信号処理装置。
【請求項６】
前記妨害波除去手段は、前記第２無線信号と一致する周波数成分を選択的に除去するノッチフィルタであることを特徴とする請求項１から５のいずれか１項に記載の信号処理装置。
【請求項７】
前記第１無線信号が外部から送信されてきた無線信号であって、かつ、前記第２無線信号が自装置内部のユニット間で授受される無線信号であることを特徴とする請求項１から６のいずれか１項に記載の信号処理装置。
【請求項８】
少なくとも送信手段を有する第１の通信装置と、少なくとも受信手段を有する第２の通信装置とを含む信号処理システムであって、
前記第１の通信装置は、前記送信手段が信号を外部に送信するタイミングを通知する通知信号を出力する送信タイミング通知手段を備え、
前記第２の通信装置は、前記通知信号が入力されたとき、前記第１の通信装置によって送信される信号と一致する周波数の成分を前記受信手段によって受信された信号から除去する妨害波除去手段を備えることを特徴とする信号処理システム。
【請求項９】
基地局から送信される第１無線信号と、自装置の内部で授受されると共に、前記第１無線信号と周波数が異なる第２無線信号とを取り扱う携帯電話であって、
前記第１無線信号を受信する第１無線信号受信手段と、
前記第１無線信号受信手段によって受信された前記第１無線信号の信号品質を判定する信号品質判定手段と、
前記信号品質判定手段によって前記第１無線信号の品質が所定のレベル以下であると判定された場合、前記第２無線信号と一致する周波数成分を前記第１無線信号から除去する妨害波除去手段と、
を備えることを特徴とする携帯電話。
【請求項１０】
周波数の異なる第１無線信号と第２無線信号とを取り扱う信号処理方法であって、
受信された第１無線信号の信号品質を判定する信号品質判定工程と、
前記品質信号判定工程において前記第１無線信号の品質が所定のレベル以下であると判定された場合、前記第１無線信号から、前記第２無線信号と一致する周波数成分を除去する妨害波除去工程と、
を含むことを特徴とする信号処理方法。
【発明の詳細な説明】
【技術分野】
【０００１】
本発明は、信号処理システム、信号処理装置及び信号処理方法に関する。また、携帯電話に係り、特に筐体の内部で無線により信号を授受する携帯電話に関する。
【背景技術】
【０００２】
現在、無線通信の分野において、異なる周波数の無線信号が比較的近い場所で併用される場合がある。このような例としては、通話やメールの送受信に使用される無線信号と、ＧＰＳを使って現在位置の情報を取得するための無線信号を１つの携帯電話において使用する例が挙げられる。あるいは、ＧＳＭ（Global System for Mobile Communication）規格の信号とＰＨＳの規格の信号とを併用できる携帯電話の例も挙げられる。
【０００３】
異なる２つの無線信号を併用する場合、より強度の強い無線信号が他方の無線信号に影響する。影響を受けた無線信号は、受信信号を適正に受信することができず、受信のエラーを発生することもある（このような現象を本明細書では妨害とも記す）。この点を解消するための従来技術として、例えば、特許文献１に記載された発明がある。
特許文献１に記載された発明は、バンドエミリネーションフィルタが挿入された音声信号系回路に関するものである。そして、音声のパワーに応じてバンドエミリネーションフィルタの減衰特性を制御し、音声のパワーが変化したときにもアパーチャグリル等が共鳴して振動することを防いでいる。
【特許文献１】特開平１１−４１５４３号公報
【発明の開示】
【発明が解決しようとする課題】
【０００４】
ところで、上記した従来技術は、音響装置が出力する音声が表示画面に影響し、表示されている画像品質が低下することを防ぐ目的でなされたものである。このため、従来技術にあっては、信号の所定の周波数成分を除去するフィルタを挿入することによる受信感度の低下について、考慮する必要がない。
しかしながら、異なる２つの無線信号を併用する通信装置では、上記した従来技術を適用すると、通信装置の受信感度が低下するという不具合が生じる。すなわち、信号の特定の周波数成分を除去するフィルタは、特定の周波数のみならず、信号の周波数全域の受信感度を低下させる。
【０００５】
図６は、このようなフィルタの一例であるノッチフィルタの基本的構成示す図である。図示したノッチフィルタは、インダクタンスＬのコイル６０１、容量Ｃのコンデンサ６０２、抵抗値Ｒの抵抗６０３を組み合わせて構成されている。ノッチフィルタの特性は、インダクタンスＬ、容量Ｃ、抵抗値Ｒの値によって決定する。受信感度の低下の度合いは、インダクタンスＬ、容量Ｃ、抵抗値Ｒの各値が適正に設定された場合に小さく、不適正である場合に大きくなる。
【０００６】
本発明は、上記した点に鑑みてなされたものであり、異なる２つ以上の無線信号を併用する通信装置にあって１つの信号が他の信号の影響を受けることを抑える信号処理装置、信号処理システム、携帯電話及び信号処理方法を提供することを目的とする。さらに、本発明は、１つの信号が他の信号の影響を受けることを抑える処理にあって、信号処理装置の受信感度を低下させることがない信号処理装置、信号処理システム、携帯電話及び信号処理方法を提供することを目的とする。
【課題を解決するための手段】
【０００７】
以上の課題を解決するため、本発明の信号処理装置は、互いに周波数の異なる第１無線信号と第２無線信号とを取り扱う信号処理装置であって、受信された前記第１無線信号から、前記第２無線信号と一致する周波数成分を除去する妨害波除去手段を備えることを特徴とする。
このような発明によれば、互いに周波数の異なる第１無線信号と第２無線信号とを取り扱う信号処理装置にあって、一方の信号が他方の信号に対して及ぼす影響を除去することができる。
【０００８】
また、本発明の信号処理装置は、受信された第１無線信号の信号品質を判定する信号品質判定手段をさらに備え、前記妨害波除去手段は、前記信号品質判定手段によって前記第１無線信号の品質が所定のレベル以下であると判定された場合に前記第２無線信号と一致する周波数成分を除去することを特徴とする。
このような発明によれば、第１無線信号の信号品質が所定のレベル以下であると判定された場合にだけ、第１無線信号から第２無線信号と一致する周波数成分を除去することができる。このため、第１無線信号の信号品質が低下して除去が必要なときにだけ特定の周波数成分を除去することができる。このため、第１無線信号を妨害する周波数成分を除去することを可能にしながら、通常時には周波数成分のために起こる信号損失をなくすことができる。
【０００９】
したがって、本発明は、異なる２つ以上の無線信号を併用する信号処理装置にあって、１つの信号が他の信号の影響を受けることを抑え、しかも信号処理装置の受信感度を低下させることがない信号処理装置を提供することができる。
また、本発明の信号処理装置は、前記信号品質判定手段が、前記第1無線信号の誤りの程度によって信号品質を判定することを特徴とする。
【００１０】
このような発明によれば、第1無線信号の誤りの程度によって信号品質を判定することができる。このため、妨害波の除去が必要か否かを適正に判断でき、効率的に妨害波を遮断することができる。
また、本発明の信号処理装置は、前記信号品質判定手段が、受信された前記第1無線信号の強度によって信号品質を判定することを特徴とする。
【００１１】
このような発明によれば、受信された第1無線信号の強度によって信号品質を判定することができる。このため、妨害波の除去が必要か否かを適正に判断でき、効率的に妨害波を遮断することができる。
また、本発明の信号処理装置は、前記妨害波除去手段が、周波数成分の除去の程度を変更する除去程度変更手段を備えることを特徴とする。
【００１２】
このような発明によれば、第１無線信号の受信状況によって記第２無線信号と一致する周波数成分を含む周波数成分の除去の程度を変化させることができる。
また、本発明の信号処理装置は、前記妨害波除去手段が、前記第２無線信号と一致する周波数成分を選択的に除去するノッチフィルタであることを特徴とする。
このような発明によれば、比較的簡易な構成であって、かつ特定の周波数成分の除去が可能な構成を実現することができる。
【００１３】
また、本発明の信号処理装置は、前記第１無線信号が外部から送信されてきた無線信号であって、かつ、前記第２無線信号が自装置内部のユニット間で授受される無線信号であることを特徴とする。
このような発明によれば、第２無線信号の周波数が既知であって、第２無線信号と一致する周波数成分の除去の処理が簡易になる。また、外部と信号の授受が可能な信号処理装置において筐体内部の制御信号を無線によって授受した場合、内部で授受される信号によって外部から受信された信号の品質が低下することを防ぐことができる。
【００１４】
また、本発明の信号処理システムは、少なくとも送信手段を有する第１の通信装置と、少なくとも受信手段を有する第２の通信装置とを含む信号処理システムであって、
前記第１の通信装置は、前記送信手段が信号を外部に送信するタイミングを通知する通知信号を出力する送信タイミング通知手段を備え、前記第２の通信装置は、前記通知信号が入力されたとき、前記第１の通信装置によって送信される信号と一致する周波数の成分を前記受信手段によって受信された信号から除去する妨害波除去手段を備えることを特徴とする。
【００１５】
このような発明によれば、第１通信装置が外部に信号を送信するタイミングでだけ、第１無線信号から第２無線信号と一致する周波数成分を除去することができる。このため、第１通信装置が送信する信号が、第２通信装置が受信する信号の妨害波として作用する可能性が生じるときにだけ送信信号と一致する周波数の成分を受信信号から除去することができる。このため、第１無線信号の信号品質の低下を防ぎながら、通常時には周波数成分除去のために起こる信号損失をなくすことができる。
【００１６】
したがって、本発明は、異なる２つ以上の無線信号を併用する場合、１つの信号が他の信号の影響を受けることを抑え、しかも受信感度を低下させることがない通信システムを提供することができる。
また、本発明の携帯電話は、基地局から送信される第１無線信号と、自装置の内部で授受されると共に、前記第１無線信号と周波数が異なる第２無線信号とを取り扱う携帯電話であって、前記第１無線信号を受信する第１無線信号受信手段と、前記第１無線信号受信手段によって受信された前記第１無線信号の信号品質を判定する信号品質判定手段と、前記信号品質判定手段によって前記第１無線信号の品質が所定のレベル以下であると判定された場合、前記第２無線信号と一致する周波数成分を前記第１無線信号から除去する妨害波除去手段と、を備えることを特徴とする
このような発明によれば、第１無線信号の信号品質が所定のレベル以下であると判定された場合にだけ、第１無線信号から第２無線信号と一致する周波数成分を除去することができる。このため、第１無線信号の信号品質が低下して除去が必要なときにだけ特定の周波数成分を除去することができる。このため、第１無線信号を妨害する周波数成分を除去することを可能にしながら、通常時には周波数成分のために起こる信号損失をなくすことができる。
【００１７】
したがって、本発明は、異なる２つ以上の無線信号を併用する信号処理装置にあって、１つの信号が他の信号の影響を受けることを抑え、しかも信号処理装置の受信感度を低下させることがない携帯電話を提供することができる。
また、本発明の信号処理方法は、周波数の異なる第１無線信号と第２無線信号とを取り扱う信号処理方法であって、受信された第１無線信号の信号品質を判定する信号品質判定工程と、前記品質信号判定工程において前記第１無線信号の品質が所定のレベル以下であると判定された場合、前記第１無線信号から、前記第２無線信号と一致する周波数成分を除去する妨害波除去工程と、を含むことを特徴とする。
【００１８】
このような発明によれば、第１無線信号の信号品質が所定のレベル以下であると判定された場合にだけ、第１無線信号から第２無線信号と一致する周波数成分を除去することができる。このため、第１無線信号の信号品質が低下して除去が必要なときにだけ特定の周波数成分を除去することができる。このため、第１無線信号を妨害する周波数成分を除去することを可能にしながら、通常時には周波数成分のために起こる信号損失をなくすことができる。
【００１９】
したがって、本発明は、異なる２つ以上の無線信号を併用する信号処理装置にあって、１つの信号が他の信号の影響を受けることを抑え、しかも信号処理装置の受信感度を低下させることがない信号処理方法を提供することができる。
【発明を実施するための最良の形態】
【００２０】
以下、図を参照して本発明に係る信号処理装置、携帯電話及び信号処理方法の実施の形態１、実施形態２を説明する。
（実施形態１）
図１は、実施形態１の信号処理装置、信号処理方法を説明するための図であって、信号処理装置を携帯電話として構成した例を示している。図１の携帯電話は、本体１と表示体２とを有し、本体１と表示体２とは、ヒンジ部１０７によって互いに回動可能に構成される。本体１は、操作用のキー等を含む操作部１０９、マイク１１５、回路部１１１を有している。回路部１１１は、操作部１０９から入力された信号、マイク１１５から入力された音声信号を処理する回路である。
【００２１】
また、表示体１は、ディスプレイ１０１やスピーカ１１３、制御部１０５を備えている。制御部１０５は、ディスプレイ１０１の画像表示や音声出力等に係る制御を行うＣＰＵ、電話番号簿等の記録を保存するためのメモリをも含むものとする。また、制御部１０５は、図示した表示体１の側にはアンテナ１０３が設けてあり、アンテナ１０３が受信した無線信号Ａを処理するベースバンドＬＳＩ等をも含んでいる。
【００２２】
さらに、図１に示した携帯電話は、本体１と表示体２との間で信号を授受している。授受される信号としては、例えば、回路部１１１から制御部１０５に送信される制御信号や音声信号が挙げられる。また、制御部１０５は、制御部１０５から出力された制御信号を回路部１１１に出力する。
本体１と表示体２との間で行われる信号の授受は、有線と無線とによって行われる。本体１と表示体２とは頻繁に回動される。このため、近年では授受される信号のうち、無線で授受される信号の割合を多くし、本体１と表示体２との間の信号線本数が低減される傾向がある。本体１と表示体２との間で無線によって授受される信号を図中に無線信号Ｂと記す。無線信号Ｂの周波数は、無線信号Ａの周波数と相違する。
【００２３】
このような実施形態１の携帯電話は、互いに周波数の異なる無線信号Ａと無線信号Ｂとを取り扱うものである。実施形態１は、無線信号Ｂを、無線信号Ａを妨害する妨害波とし、無線信号Ｂによって無線信号Ａの信号品質が低下することを目的とする。また、実施形態１では、無線信号Ａが外部から送信されてきた無線信号であって、無線信号Ｂが自装置（携帯電話）の内部のユニット間で授受される無線信号である。このため、無線信号Ｂの周波数は、信号処理装置で行われる処理上では既知であるものとする。なお、実施形態１で使用される周波数は、無線信号Ａが４ＧＨｚであり、無線信号Ｂが２ＧＨｚである。
【００２４】
図２は、図１に示した携帯電話のうち、特に実施形態１に係る構成を説明するためのブロック図である。実施形態１の携帯電話は、外部から送信されてきた無線信号Ａを受信するアンテナ１０３と、アンテナ１０３によって受信された無線信号Ａの信号品質を判定する信号品質判定手段となるチェックサム判定器２１７を備えている。
また、図１に示した携帯電話は、ノッチフィルタ（notch filter）２０１を備えている。ノッチフィルタ２０１は、チェックサム判定器２１７によって無線信号Ａの品質が所定のレベル以下であると判定された場合、第２無線信号と一致する周波数成分を前記第１無線信号から除去する妨害波除去手段として機能する。
【００２５】
さらに、図１に示した携帯電話は、ノッチフィルタ２０１でフィルタリングされた無線信号Ａを増幅する低雑音増幅器２０３、不要な信号を除去する帯域通過フィルタ２０５、帯域通過フィルタ２０５を通った信号を局部発信器２０９が出力した信号と乗算し、無線信号Ａの周波数を中間周波数に落とす混合器２０７、中間周波数に落とされた無線信号Ａからデジタル信号処理が可能なベースバンド信号を生成する復調器２１１、生成されたベースバンド信号をデジタル信号として処理するデジタル信号処理部２１５を備えている。実施形態１では、チェックサム判定器２１７が、デジタル信号処理部２１５に備えられるものとする。
【００２６】
チェックサム判定器２１７は、アンテナ１０３によって受信された無線信号Ａの誤りの有無によって信号品質を判定する。信号品質の判定は、チェックサムと呼ばれる判定の方法によって行われる。チェックサム（check-sum）では、送信側がデータと共に伝送されたデータの合計値とを受信側に伝送する。チェックサム判定器２１７は、受信されたデータを計算し、合計値と一致するか否かによって伝送されたデータに誤りがあるか否か検出する機器である。
【００２７】
また、ノッチフィルタ２０１は、特定の周波数に急峻な減衰を与えるフィルタであって、コイル２２０、抵抗２２２、トランジスタ２２３、コンデンサ２２４とで構成されている。ノッチフィルタ２０１が減衰させる特定の周波数は、コイル２２０のインダクタンスや抵抗２２２の抵抗値、コンデンサ２２４の容量といった各部材の規格によって決定する。実施１のノッチフィルタ２０１は、妨害波となる無線信号Ｂの周波数である２ＧＨｚの周波数のみを選択的に減衰させるよう構成されている。
【００２８】
図３（ａ）、（ｂ）、（ｃ）は、ノッチフィルタ２０１の規格と周波数の減衰特性との関係を示す図であって、抵抗２２２の抵抗値を変えたときの減衰される周波数を示している。図３（ａ）、（ｂ）、（ｃ）にあっては、縦軸に信号のノッチフィルタ２０１入力時のＳＮ比と出力時のＳＮ比との比（ノイズフィギュア）を示し、横軸にノイズフィギュアに対応する周波数を示している。
【００２９】
図３（ａ）は、抵抗２２２の抵抗値が２ＧＨｚの周波数を選択的に減衰させるのに最適な値であるときの減衰特性を示す図である。図３（ｂ）は、（ａ）に示した減衰特性を持つノッチフィルタ２０１のトランジスタ２２３をオフした状態の減衰特性を示す。また、図３（ｃ）は、抵抗２２２の抵抗値が最適な値から外れている場合の減衰特性を示している。以下、トランジスタ２２３をオンした状態のノッチフィルタ２０１をオン状態、トランジスタ２２３をオフした状態のノッチフィルタ２０１をオフ状態と記す。
【００３０】
図３（ａ）に示したように、抵抗２２２の抵抗値が適正であっても、ノッチフィルタ２０１がオン状態であれば、周波数によらず信号全般にわずかながらノッチフィルタ２０１による無線信号の挿入損失が生じる。周波数によらない信号の挿入損失は、ノッチフィルタ２０１をオフした場合にはほとんど見られなくなる。また、図３（ｃ）に示したように、抵抗値が不適正な値であれば、フィルタ挿入による信号の損失が大きくなって実用に適さなくなることもある。
【００３１】
上記したノッチフィルタ２０１は、トランジスタ２２３のオン、オフによって無線信号Ｂと一致する周波数成分の除去状態が切り換えられる構成である。実施形態１のノッチフィルタ２０１は、無線信号Ｂの除去状態を、無線信号Ｂと一致する周波数成分を最大限除去する最大除去モード（トランジスタオン）、除去される無線信号Ｂと一致する周波数成分を含む周波数成分を最小限にする最小除去モード（トランジスタオフ）のいずれかに切り換えるものとする。
【００３２】
次に、以上述べた構成の動作について説明する。実施形態１の携帯電話では、通常ノッチフィルタ２０１はオフ状態になっている。アンテナ１０３は、中継局から送信された無線信号Ａを受信する。受信された無線信号Ａは、増幅や不要信号の除去といった処理の後、復調器２１１を経てデジタル信号処理部２１５に入力され、チェックサム判定器２１７においてデータの誤りをチェックされる。
【００３３】
実施形態１では、チェックサム判定器２１７によってデータに誤りがないと判定されている間、無線信号Ａに対する無線信号Ｂの影響が少ない（妨害が弱い）としてＬｏｗ信号を出力する。
Ｌｏｗ信号は、ノッチフィルタ２０１のトランジスタ２２３に入力される。トランジスタ２２３は、Ｌｏｗ信号の入力によってオンされることがなく、オフ状態を保つ。このため、ノッチフィルタ２０１は、無線信号Ａに誤りがない間はオフ状態であって、図３（ｂ）に示した減衰特性を持つ。このような場合、ノッチフィルタ２０１は、無線信号Ａに対して妨害波となる信号除去の効果が低いものの、実質的な挿入損失も少ない状態にあるといえる。
【００３４】
また、チェックサム判定器２１７は、データの誤りのチェックの結果、誤りがあると判定した場合には無線信号Ａに対する無線信号Ｂの影響が大きい（妨害が強い）と判断する。このような場合、チェックサム判定器２１７は、トランジスタ２２３にＨｉｇｈ信号を出力する。トランジスタ２２３は、Ｈｉｇｈ信号の入力によってオン状態になる。このため、ノッチフィルタ２０１は、無線信号Ａに誤りが検出された場合にオン状態になり、図３（ａ）に示した減衰特性を持つ。このような場合、挿入損失がオフ状態より増えるものの、妨害波となる信号を効果的に除去することができる。
【００３５】
なお、ノッチフィルタ２０１は、ＩＣチップ化することもできる。ノッチフィルタ２０１をＩＣチップ化した場合、信号処理装置の内部に組み込みことができ、外付けのフィルタよりも信号処理装置を小型化することに有利である。
以上述べた実施形態１は、無線信号Ａに誤りが生じた場合にだけノッチフィルタ２０１をオンし、無線信号Ｂの無線信号Ａに対する妨害を防いでいる。このため、実施形態１の構成は、通常ノッチフィルタ２０１による挿入損失を抑え、無線信号Ａに無線信号Ｂの影響が出たときにだけこの影響を防ぐことができる。
【００３６】
また、携帯電話として構成された実施形態１の信号処理装置、信号処理方法は、本体と表示体との間で信号を無線で授受することによって本体と表示体との間をつなぐ信号線の本数を低減することができる。このため、表示体と本体との接続の自由度が高まり、本体に対して表示体を回転可能に接続する等の構成が容易に実現できるようになる。
そして、自装置の内部で授受される信号が外部と通信するための信号に影響を及ぼしたとき、内部で授受される信号と同一の周波数成分を通信のための信号から除去している。このため、通常時は通話やメール等に使用される信号の受信感度を低下させることがなく、必要な場合にだけこの信号を妨害する特定の周波数成分を除去することができる。
【００３７】
なお、実施形態１の構成は、以上述べた例に限定されるものではない。すなわち、ノッチフィルタは、信号の除去状態をトランジスタのオン、オフのいずれかによって選択するものに限定されるものでなく、周波数成分の除去の程度を変更する除去程度変更手段を備えるものであってもよい。除去程度変更手段としては、例えば、電子ボリューム等をトランジスタに代えて用いることが考えられる。電子ボリュームによれば、最大除去モード、最小除去モードの間で除去の程度を連続的に切り換えることができる。
【００３８】
また、実施形態１は、チェックサムによって信号の誤りの有無を判定しているが、実施形態１はこのような構成に限定されるものではない。すなわち、チェックサムによって検出される信号の誤りの程度を予め設定しておき、誤りが設定値に達したときに特定の周波数成分を除去するようにしてもよい。
さらに、実施形態１は、信号品質の判定にチェックサム判定を用いるものに限定されるものではない。例えば、ＢＥＲ（Bit Error Rate）判定やパリティチェック等、信号の誤りを判定するどのような方法を用いることができる。
（実施形態２）
次に、本発明の実施形態２について説明する。実施形態２の信号処理装置は、実施形態１と同様に携帯電話として構成されている。なお、実施形態２の説明にあたり、図２に示した構成と同様の構成については同様の符号を付し、説明を一部略すものとする。
【００３９】
図４は、実施形態２の信号処理装置、信号処理方法を説明するための図である。実施形態２の信号処理装置は、アンテナ１０３によって受信された無線信号Ａの強度によって信号品質を判定する点で実施形態１と相違する。
すなわち、実施形態２の信号処理装置は、チェックサム判定器２１７に代えて信号強度検出器２１９を備えている。信号強度検出器２１９としては、例えば、ＲＳＳＩ(Receiving Signal Strength Indicator)といった受信信号の電界強度を検出する回路を用いることができる。
【００４０】
実施形態２の信号処理装置は、次のように動作する。すなわち、中間周波数に落とされた無線信号Ａは、復調器２１１に入力する一方、分岐して信号強度検出器２１９に入力される。信号強度検出器２１９は、通常Ｌｏｗ信号を出力する。この結果、ノッチフィルタ２０１は、通常時にオフ状態になっている。オフ状態のノッチフィルタ２０１は、図３（ｂ）に示した減衰特性を示している。
【００４１】
そして、信号強度検出器２１９は、無線信号の受信強度が所定の強度よりも高い場合に無線信号の受信を妨害する周波数成分の影響が強いとしてＨｉｇｈ信号を出力する。Ｈｉｇｈ信号によってノッチフィルタ２０１がオン状態となり、図３（ａ）に示した減衰特性を示す。
この結果、実施形態２の信号処理装置は、受信信号が所定の強度よりも強い場合に無線信号Ａから無線信号Ｂと同一の周波数成分を除去することができる。
【００４２】
なお、所定の信号強度とは、信号処理装置が適用された機器にとって望ましい信号の強度である。携帯電話に適用された実施形態２の信号処理装置では、望ましい信号の強度の範囲を、形態電話が基地局から無線信号Ａを受信する際の信号強度の範囲に設定する。このような実施形態２は、無線信号Ａを送信する送信器との距離の範囲が既知であり、信号の受信強度が設定できる機器に適したものといえる。
【００４３】
また、以上述べた実施形態１、実施形態２の信号処理装置及び信号処理方法は、携帯電話ばかりでなく、他の信号処理装置に適用することが可能である。実施形態１、実施形態２の信号処理装置及び信号処理方法は、特に、外部と無線で信号を授受すると共に、自装置内部のユニット間で無線信号を授受する装置に適用した場合に効果を奏する。
（実施形態３）
次に、本発明の実施形態３の信号処理システムについて説明する。図５は、実施形態３の信号処理システムを説明するための図である。実施形態３の信号処理システムは、第１の通信装置である通信装置５Ａ、第２の通信装置である通信装置５Ｂを有している。通信装置５Ａは、送信手段として機能するアンテナ５０１ａ及び送信器５０７を有する。また、通信装置５Ｂは、受信手段として機能するアンテナ５０１ｂを有している。
【００４４】
なお、以上述べた構成において、通信装置５Ａは少なくとも送信機能を有するものであり、受信機能をも有するものであってもよい。また、通信装置５Ｂは少なくとも受信機能を有するものであり、送信機能を持つものであってもよい。
また、通信装置５Ａは、アンテナ５０１ａが信号（無線信号Ｃと記す。）を送信するにあたり、送信すべき情報を電気信号に変換してベースバンド信号を生成するベースバンド信号生成部５０９を備えている。一方、通信装置５Ｂは、アンテナ５０１ｂによって受信された信号（無線信号Ｄと記す。）から特定の周波数成分を選択的に除去するノッチフィルタ５０３、ノッチフィルタ５０３を透過した無線信号Ｄを復調する復調器５０５を備えている。
【００４５】
通信装置５Ａのベースバンド信号生成部５０９は、無線信号Ｃを外部に送信するタイミングを通知する送信タイミング通知手段として機能する。すなわち、ベースバンド信号生成部５０９は、送信器５０７にベースバンド信号を送出するタイミングで通信装置５Ｂのノッチフィルタ５０３に通知信号ｓを出力する。通知信号ｓは、実施形態１、実施形態２で述べたＨｉｇｈ信号と同様の信号であってもよい。
【００４６】
ノッチフィルタ５０３は、実施形態１、実施形態２で説明したノッチフィルタ２０１と同様の構成を有していて、無線信号Ｃと一致する周波数を選択的に除去するよう構成されている。つまり、ノッチフィルタ５０３を構成する抵抗の抵抗値やキャパシタ容量等は、無線信号Ｃと一致する周波数のみを除去するために設定されている。
ベースバンド信号生成部５０９は、ノッチフィルタ５０３に通知信号ｓを出力し、タイミングを調整してベースバンド信号を送信器５０７に出力する。タイミングの調整は、ノッチフィルタ５０３のオンと、送信器５０７が無線信号Ｃを出力するタイミングとが一致するように行われる。このような構成により、ノッチフィルタ５０３は、通信装置５Ａが無線信号Ｃを出力するタイミング時にだけオンし、無線信号Ｄから無線信号Ｃと同一の周波数成分を選択的に除去することができる。
【００４７】
なお、本発明の実施形態１ないし実施形態３は、以上述べた構成に限定されるものではない。すなわち、本発明の妨害波を遮断する構成は、ノッチフィルタに限定されるものでなく、オン、オフ状態を電気的に制御でき、しかもオン状態にあって信号の特定の周波数成分を選択的に除去できる構成であればよい。
また、実施形態３の信号処理システムは、２つの通信装置の一方に送信される信号が他方に受信される信号の妨害波として作用する可能性のあるシステムに適用することができる。２つの通信装置の組合せとしては、ＰＨＳと無線ＬＡＮを用いる機器、ＧＰＳと携帯電話、カーナビゲーション機器と携帯電話、ＵＷＢ（Ultra Wide Band）の無線信号を用いる機器と携帯電話等が考えられる。
【図面の簡単な説明】
【００４８】
【図１】本発明の実施形態１を説明するための図であって、信号処理装置が適用された携帯電話す図である。
【図２】図１に示した携帯電話のうち、特に実施形態１に係る構成を説明するためのブロック図である。
【図３】図２に示したノッチフィルタの規格と周波数の減衰特性との関係を示す図である。
【図４】本発明の実施形態２に係る構成を説明するためのブロック図である。
【図５】本発明の実施形態３の信号処理システムを説明するための図である。
【図６】ノッチフィルタの基本的構成示す図である。
【符号の説明】
【００４９】
１  本体、２  表示体、５Ａ，５Ｂ  通信装置、１０１  ディスプレイ、
１０３  アンテナ、１０５  制御部、１０７  ヒンジ部、１０９  操作部、
１１１  回路部、１１３  スピーカ、１１５  マイク、
２０１，５０３  ノッチフィルタ、２０３  低雑音増幅器、２０５  帯域通過フィルタ、２０７  混合器、２０９  局部発信器、２１１  復調器、２１５  デジタル信号処理部、
２１７  チェックサム判定器、２１９  信号強度検出器、２２０  コイル、
２２２  抵抗、２２３  トランジスタ、２２４  コンデンサ、
５０１ａ，５０１ｂ  アンテナ、５０３  ノッチフィルタ、５０５  復調器、
５０７  送信器、５０９  ベースバンド信号生成部。
【図１】
2006074313.tif 000003
【図２】
2006074313.tif 000004
【図３】
2006074313.tif 000005
【図４】
2006074313.tif 000006
【図５】
2006074313.tif 000007
【図６】
2006074313.tif 000008